(57)【要約】【課題】ボウル内の異物等がオーバーフロー流路内へ侵入するのを防止する。【解決手段】洗面台Ａは、底部に排水口１１が開口した貯水用のボウル１０と、排水口１１から排水方向下流側へ延出した排水路１２と、排水路１２から分岐した流入口３０を有するオーバーフロー流路１３と、流入口３０よりも排水方向下流側において排水路１２における水の流れを遮断可能な排水栓１４と、排水口１１と流入口３０との間に設けられたフィルタ１６を備えているので、ボウル１０内の異物がオーバーフロー流路１３内へ侵入する可能性は低い。【選択図】図２
2020041367.tif 000002
【特許請求の範囲】
【請求項１】
底部に排水口が開口したボウルと、
前記排水口から排水方向下流側へ延出した排水路と、
前記排水路から分岐した流入口を有するオーバーフロー流路と、
前記流入口よりも排水方向下流側において前記排水路における水の流れを遮断可能な排水栓と、
前記排水口と前記流入口との間に設けられたフィルタとを備えていることを特徴とする洗面台。
【請求項２】
前記排水口を覆うように配置される目皿を備えており、
前記フィルタが前記目皿に設けられていることを特徴とする請求項１記載の洗面台。
【請求項３】
前記フィルタが前記排水栓に設けられていることを特徴とする請求項１記載の洗面台。
【請求項４】
前記フィルタが、前記オーバーフロー流路を非経由の排水経路を上流側と下流側とに区画することを特徴とする請求項１から請求項３までのいずれか１項に記載の洗面台。
【請求項５】
前記排水口と前記フィルタとの間に配置され、排水方向下流側に向かう水の流れを許容し、排水方向上流側に向かう水の流れを遮断する逆流防止部材を備えていることを特徴とする請求項１から請求項４までのいずれか１項に記載の洗面台。
【発明の詳細な説明】
【技術分野】
【０００１】
本発明は、洗面台に関する。
【背景技術】
【０００２】
特許文献１には、底部に排水口が開口した貯水用のボウル（槽体）と、排水口から下方へ延出した排水管と、ボウル内の水が排水管のみを通過して排出される排水経路を遮断するための排水栓（弁部分）と、排水管に接続されたオーバーフロー配管とを備えた洗面台が開示されている。オーバーフロー配管は、排水口の下方において排水管に連通するオーバーフロー分岐口（オーバーフロー排水口）と、オーバーフロー分岐口の下方において排水管に連通するオーバーフロー合流口とを有している。
【０００３】
排水栓は、排水管内に収容され、オーバーフロー分岐口とオーバーフロー合流口の間の高さに設けられている。排水栓によって排水管を閉塞した状態でボウルに水を供給すると、供給された水の一部が、ボウルから排水管のうち排水栓より上方の空間に流入し、オーバーフロー分岐口を通ってオーバーフロー配管内に流入するので、ボウル内とオーバーフロー配管内の水位がほぼ同じ高さで上昇する。ボウル内とオーバーフロー配管内が規定水位に達した後は、余剰の水が、オーバーフロー配管からオーバーフロー合流口を経て排水管に排出される。
【先行技術文献】
【特許文献】
【０００４】
【特許文献１】特開２０１１−１１７２２９号公報
【発明の概要】
【発明が解決しようとする課題】
【０００５】
ボウル内とオーバーフロー配管内は、排水管の上端部とオーバーフロー分岐口を介して連通している。そのため、ボウル内に水を溜めて水の供給を停止した状態で、ボウル内で手洗い等の作業をしたときに、ボウル側とオーバーフロー配管側との間で水が行き来し、ボウル内の異物等がオーバーフロー流路内へ流入することが懸念される。
【０００６】
本発明は、上記従来の実情に鑑みてなされたものであって、ボウル内の異物等がオーバーフロー流路内へ侵入するのを防止することを解決すべき課題としている。
【課題を解決するための手段】
【０００７】
本発明は、
底部に排水口が開口したボウルと、
前記排水口から排水方向下流側へ延出した排水路と、
前記排水路から分岐した流入口を有するオーバーフロー流路と、
前記流入口よりも排水方向下流側において前記排水路における水の流れを遮断可能な排水栓と、
前記排水口と前記流入口との間に設けられたフィルタとを備えていることを特徴とする。
【発明の効果】
【０００８】
本発明の洗面台は、フィルタを備えているので、ボウル内の異物がオーバーフロー流路内へ侵入する可能性が低くなる。
【図面の簡単な説明】
【０００９】
【図１】実施例１の洗面台の側断面図
【図２】排水路内の部分拡大側断面図
【図３】実施例２の洗面台の排水路内の部分拡大側断面図
【図４】実施例３の洗面台において排水路内の排水栓が閉弁位置にある状態をあらわす部分拡大側断面図
【発明を実施するための形態】
【００１０】
本発明は、前記排水口を覆うように配置される目皿を備えており、前記フィルタが前記目皿に設けられていてもよい。この構成によれば、目皿を排水口から取り外すことによって、フィルタの清掃やメンテナンスを行うことができる。
【００１１】
本発明は、前記フィルタが前記排水栓に設けられていてもよい。この構成によれば、排水栓が水の流れを遮断する位置と水の流れを許容する位置との間で移動する際に、フィルタに付着した異物がフィルタから除去されるので、異物の堆積に起因するフィルタの目詰まりを防止できる。
【００１２】
本発明は、前記フィルタが、前記オーバーフロー流路を非経由の排水経路を上流側と下流側とに区画してもよい。この構成によれば、通常の使用時において、排水路に流入した毛髪等をフィルタで捕捉することができる。
【００１３】
本発明は、前記排水口と前記フィルタとの間に設けられ、排水方向下流側に向かう水の流れを許容し、排水方向上流側に向かう水の流れを遮断する逆流防止部材を備えていてもよい。この構成によれば、フィルタで捕捉した異物がボウル内に侵入することを防止できる。
【００１４】
＜実施例１＞
以下、本発明を具体化した実施例１を図１〜図２を参照して説明する。以下の説明において、上下の方向については、図１，２にあらわれる向きを、そのまま上方、下方とし、前後方向については、図１，２における左方を前方と定義する。
【００１５】
本実施例１の洗面台Ａは、機能的には、水や湯を溜めるためのボウル１０と、ボウル１０の底部に開口する平面視円形の排水口１１と、排水口１１から下方へ延出した形態の排水路１２と、オーバーフロー流路１３と、排水栓１４と、排水口１１を覆い隠す目皿１５と、目皿１５に設けたフィルタ１６と、目皿１５に設けた逆流防止部材１７を備えている。
【００１６】
排水栓１４は、ボウル１０に水や湯を溜める際に、最短排水経路１８の途中を水流遮断状態にするためのものである。本実施例１において「最短排水経路１８」は、ボウル１０内の水が、オーバーフロー流路１３を経由せずに排水路１２のみを通過して流れる経路である。オーバーフロー流路１３は、ボウル１０に水や湯を溜めたときに水や湯がボウル１０の上端開口縁から溢れ出すのを防止するための手段である。
【００１７】
排水路１２は、オーバーフロー流路１３を経由せずにボウル１０内の水や湯を排出するための最短排水経路１８を構成するものである。フィルタ１６は、ボウル１０内の異物等がオーバーフロー流路１３内へ侵入するのを防止する手段である。逆流防止部材１７は、オーバーフロー流路１３内の異物がボウル１０内へ侵入するのを防止する手段である。
【００１８】
洗面台Ａは、部品構成的には、陶器製の洗面台本体２０と、円筒形をなす排水管２５と、連通管３１と、湾曲管３３と、フロート弁３６と、排水栓１４と、目皿１５とを備えて構成されている。洗面台本体２０には、ボウル１０と、排水口１１と、筒状取付部２１と、上昇流路２２と、収容空間２３と、排気孔２４とが形成されている。筒状取付部２１は、排水口１１から鉛直方向下方へ突出している。
【００１９】
筒状取付部２１には、排水管２５の上端部が、ナット２６のねじ込みにより接続されている。接続された排水管２５の内部空間は、排水口１１を介してボウル１０内に連通する排水路１２として機能する。筒状取付部２１の内周と排水管２５の上端部外周との間は、円環状（円筒状）をなす連通空間２７となっている。排水管２５の上端部には、排水路１２と連通空間２７とを連通させるための複数（例えば、２つ）の流出孔２８が、周方向に間隔を空けて形成されている。排水管２５の内周における流出孔２８よりも下方（排水方向下流側）の位置には、上方（排水口１１側）に面する段差状の弁座２９が形成されている。本実施例１において「排水方向」は、最短排水経路１８における水の流れの向きである。
【００２０】
上昇流路２２は、ボウル１０を構成する底壁部及び後壁部の外面に沿って側面視略Ｌ字形に形成された孔状に形成されている。上昇流路２２はオーバーフロー流路１３を構成するものであり、上昇流路２２の下端部（オーバーフロー方向上流端）は、筒状取付部２１の後面部に連なる流入口３０となっている。流入口３０は、筒状取付部２１の内部空間（連通空間２７）を介して排水管２５（排水路１２）の上端部と連通するように開口している。流入口３０の開口位置は、上下方向において排水管２５の流出孔２８と対向し、且つ上下方向において弁座２９よりも上方（排水方向上流側）の位置である。本実施例１において「オーバーフロー方向」は、水が、流入口３０から上昇流路２２、後述する折返流路３２と下降流路３４を順に経て合流部３５に至る経路で流れる方向である。
【００２１】
収容空間２３は、洗面台本体２０のうちボウル１０の後方上端部に配置され、下方へ開放されている。排気孔２４は、収容空間２３の上端部と洗面台本体２０の上面とを連通させるように開口している。収容空間２３内には連通管３１が収容されている。連通管３１は、側面視形状が上下逆向きの略Ｌ字形をなす部品であり、オーバーフロー流路１３を構成する。連通管３１の内部は折返流路３２となっている。連通管３１（折返流路３２）の両端部のうち前方を向いた一端部は、上昇流路２２の上端部（オーバーフロー方向下流端）に連通状態で接続されている。連通管３１の下向きに開口する他端部（オーバーフロー方向下流端）には、洗面台本体２０の外部下方に配置された湾曲管３３の上端部が接続されている。
【００２２】
湾曲管３３は、オーバーフロー流路１３を構成する部品である。湾曲管３３の内部空間は下降流路３４となっている。下降流路３４の上端部（オーバーフロー方向上流端）は折返流路３２の下端部（オーバーフロー方向下流端）に連通状態に接続されている。下降流路３４の下端部（オーバーフロー方向下流端）は、流入口３０及び弁座２９よりも下方に位置する合流部３５となっている。合流部３５は、排水路１２（最短排水経路１８）と連通した状態で排水管２５に接続されている。
【００２３】
フロート弁３６は、収容空間２３内に収容され、連通管３１の上面に取り付けられている。フロート弁３６は、弁室３７と、弁室３７内に収容され比重が水よりも小さい球形の弁体３８と、弁室３７の下端部に形成されて折返流路３２（オーバーフロー流路１３）と連通可能な下部弁口３９と、弁室３７の上端部に形成されて収容空間２３と連通可能な上部弁口４０とを有する。
【００２４】
排水栓１４は、平面視形状が円形をなす部品である。排水栓１４の外径は、弁座２９の最小内径よりも大きい寸法に設定されている。排水栓１４の外周下端部は、弁座２９に対して面当たり状態で当接可能なテーパ状の弁機能部４１となっている。排水栓１４は、排水口１１から排水路１２内に収容され、弁機能部４１を弁座２９に当接させる閉弁位置と、弁機能部４１を弁座２９から上方へ離した開弁位置との間で上下動し得るようになっている。排水栓１４が閉弁位置にある状態では、排水路１２内における水や湯の流動が規制される。排水栓１４が開弁位置にある状態では、排水路１２内における水や湯の流動が許容される。
【００２５】
排水栓１４を開弁位置と閉弁位置との間で昇降させる手段としては、洗面台本体２０の上面に設けた操作部（図示省略）と、排水栓１４の下面との間にコントロールケーブル（図示省略）を配索する方法がある。コントロールケーブルの上向きの作動端で排水栓１４の下面を押し上げれば、排水栓１４を開弁位置へ変位させることができる。コントロールケーブルの作動端を下方へ退避させれば、排水栓１４が排水栓１４の自重により閉弁位置へ下降する。
【００２６】
コントロールケーブルとは別の手段としては、排水栓１４の下面に永久磁石（図示省略）を一体的に取り付けるとともに、排水管２５の外面に永久磁石（図示省略）を設ける方法もある。排水管２５側の永久磁石の向きを変えることにより、双方の永久磁石の間に生じる磁力が、磁気吸引力と磁気反発力とに切り替わるようにすれば、排水栓１４を開弁位置と閉弁位置との間で変位させることができる。
【００２７】
目皿１５は、平面視円形の平板状をなす覆い部４２と、筒状嵌合部４３と、底板部４４とを有する単一部品である。覆い部４２の外径は、排水口１１の最大内径と概ね同じ寸法に設定されている。筒状嵌合部４３は、覆い部４２の下面から同心円筒状に延出している。筒状嵌合部４３の外径は覆い部４２の外径よりも小さい。底板部４４は、筒状嵌合部４３の下端の開口を塞いでいる。
【００２８】
筒状嵌合部４３の上端部には、筒状嵌合部４３の外周から内周へ貫通した形態の複数（例えば、４つ）の流入孔４５が、周方向に間隔を空けて形成されている。筒状嵌合部４３の内周には、平面視形状が筒状嵌合部４３と同心の円環形をなす縮径部４６が形成されている。縮径部４６は、筒状嵌合部４３のうち流入孔４５の下端縁に沿った位置から、全周に亘って径方向内側へ突出している。縮径部４６の中心孔は、筒状嵌合部４３の内部空間のうち流入孔４５に臨む上部空間４７と、後述する周面フィルタ５１及び底部フィルタ５２が臨む下部空間４８とを連通させる連通孔４９となっている。
【００２９】
目皿１５には、フィルタ１６が一体に形成されている。フィルタ１６は、周面フィルタ５１と底部フィルタ５２とから構成されている。周面フィルタ５１は、筒状嵌合部４３のうち下部空間４８を構成する領域に形成され、筒状嵌合部４３の内周面から外周面に貫通した形態の複数のスリットによって構成されている。１本のスリットは周方向に細長く延びた形態であり、複数のスリットは周方向と上下方向に整列配置されている。スリットの開口幅（上下幅）は、流入孔４５の上下寸法に比べて十分に小さい。底部フィルタ５２は、底板部４４の上面から下面に貫通した形態の複数の小孔から構成されている。小孔の内径寸法は、スリットの開口幅と概ね同じ寸法である。
【００３０】
目皿１５には、目皿１５とは別体の部品であって、逆止弁としての機能を発揮する逆流防止部材１７が取り付けられている。逆流防止部材１７は、連通孔４９の開口領域よりも大径の略円板状をなし、縮径部４６の前端部下面に設けた左右方向の揺動軸５３に支持されている。逆流防止部材１７は、揺動軸５３を支点として、縮径部４６の下面に当接して連通孔４９を閉塞することにより上部空間４７と下部空間４８とを仕切る閉塞位置と、縮径部４６から下方へ離れて連通孔４９を開放することにより上部空間４７と下部空間４８とを連通させる開放位置との間で上下方向へ揺動し得るようになっている。逆流防止部材１７は、揺動軸５３に取り付けた付勢手段としてのねじりコイルばね５４により、常に、閉塞位置方向へ付勢されている。逆流防止部材１７はフラッパー弁を構成する。
【００３１】
目皿１５は、排水口１１の上方から筒状嵌合部４３を排水管２５内に嵌合することにより、ボウル１０に取り付けられている。目皿１５を取り付けた状態では、覆い部４２が排水口１１のほぼ全体を上から覆い隠すように位置する。筒状嵌合部４３のうち流入孔４５が開口する上端部領域（上部空間４７）は、排水管２５の上方に位置しており、ボウル１０内の水は、流入孔４５から上部空間４７（筒状嵌合部４３）内に流入し得るようになっている。
【００３２】
筒状嵌合部４３のうち周面フィルタ５１の形成されている領域は、排水管２５の流出孔２８の開口領域全体を覆うように位置しており、流出孔２８の開口領域全体が周面フィルタ５１と対応している。目皿１５の下部空間４８は、周面フィルタ５１と流出孔２８と連通空間２７を介してオーバーフロー流路１３の合流部３５と連通している。
【００３３】
底板部４４は、流出孔２８の下縁よりも下方で且つ弁座２９よりも上方に位置している。底板部４４と弁座２９との間には、排水栓１４が弁座２９から上方へ離れる開弁動作を妨げない程度の空間が確保されている。底板部４４（底部フィルタ５２）は、排水路１２（最短排水経路１８）を排水方向上流側と排水方向下流側とに区画するように配置されている。排水路１２のうち底板部４４よりも下方の領域（排水栓１４が収容されている空間）は、底部フィルタ５２を介して目皿１５の下部空間４８と連通している。
【００３４】
通常の使用時には、図２に想像線で示すように、排水栓１４が開弁位置に保持され、弁機能部４１が弁座２９の上方へ離れた状態となる。この状態では、ボウル１０内の水や湯は、排水口１１と流入孔４５を順に通過して上部空間４７内に流入し、水圧で逆流防止部材１７を開放位置へ揺動させることにより連通孔４９から下部空間４８内に流入し、底部フィルタ５２を通過し、更に弁座２９と弁機能部４１との隙間を通る最短排水経路１８で排出される。最短排水経路１８内を流れる異物等は底部フィルタ５２で捕捉される。したがって、底部フィルタ５２は、ヘアキャッチャーとしの機能を発揮する。
【００３５】
ボウル１０内に水や湯を溜める際には、排水栓１４を開弁位置から閉弁位置へ下降させ、図２に実線で示すように、弁機能部４１を弁座２９に当接させる。排水栓１４が閉弁位置に変位すると、最短排水経路１８は、流入口３０と合流部３５との間において水や湯の流動（排出）を遮断される。ボウル１０内に水や湯を供給すると、ボウル１０内の水位が上昇していくとともに、ボウル１０内の水圧によって逆流防止部材１７が開放位置へ下降し、水や湯の一部がオーバーフロー流路１３の上昇流路２２内に流入する。このとき、オーバーフロー流路１３内の空気は、フロート弁３６の下部弁口３９、弁室３７、上部弁口４０、収容空間２３及び排気孔２４を介して外気へ放出されるので、オーバーフロー流路１３の上昇流路２２内の水位は、ボウル１０内の水位と同様に上昇していく。
【００３６】
ボウル１０内とオーバーフロー流路１３内の水位が規定水位（上昇流路２２の上端）に達した後は、余剰の水が、折返流路３２を経由して下降流路３４内を流下し、合流部３５から排水路１２へ流入して排出される。したがって、ボウル１０内の水や湯がボウル１０の上端外周縁から溢れ出ることはない。ボウル１０内への水や湯の供給流量が多く、折返流路３２内の水位がフロート弁３６の弁室３７に達した場合は、弁体３８が浮力により上昇して上部弁口４０を閉塞するので、オーバーフロー流路１３内の水や湯がオーバーフロー流路１３の外部（収容空間２３内）へ漏出する可能性が低くなる。
【００３７】
ボウル１０内に水や湯を溜めて手洗い洗濯等を行った場合、ボウル１０内の水や湯の一部がオーバーフロー流路１３側へ流出するため、水や湯の流れに乗じてボウル１０内の汚れがオーバーフロー流路１３側へ流入し、流入した汚れがオーバーフロー流路１３内に堆積していくことが懸念される。オーバーフロー流路１３内、特に、洗面台本体２０に一体形成されている上昇流路２２内は、狭小で屈曲した孔状をなすので洗浄が困難であるため、汚れが堆積するとオーバーフロー流路１３内が詰まってしまう虞がある。
【００３８】
この対策として、本実施例１では、ボウル１０とオーバーフロー流路１３との間に目皿１５の周面フィルタ５１を介在させている。これにより、ボウル１０から目皿１５の上部空間４７と下部空間４８に流入した汚れは、周面フィルタ５１で捕捉され、連通空間２７及び流入口３０内へ到達することが防止されている。
【００３９】
手洗い洗濯等の際にボウル１０とオーバーフロー流路１３との間で水や湯が行き来するようになっていると、周面フィルタ５１や底部フィルタ５２で捕捉されて下部空間４８内に収容されている汚れや異物が、ボウル１０内に侵入することが懸念される。この対策として、本実施例１では、ボウル１０とオーバーフロー流路１３との間の流動経路の途中に、ねじりコイルばね５４で閉塞方向へ付勢された逆流防止部材１７を設けている。これにより、オーバーフロー流路１３側の水圧が、ボウル１０側の水圧と同じか、ボウル１０側の水圧より高くなったときには、逆流防止部材１７が下部空間４８と上部空間４７との間を閉塞するので、下部空間４８内の水や湯が上部空間４７、流入孔４５、排水口１１を通ってボウル１０内に逆流する可能性が低くなる。
【００４０】
本実施例１の洗面台Ａは、底部に排水口１１が開口した貯水用のボウル１０と、排水口１１から排水方向下流側へ延出した排水路１２と、排水路１２から分岐した流入口３０を有するオーバーフロー流路１３と、流入口３０よりも排水方向下流側において排水路１２における水の流れを遮断可能な排水栓１４と、排水口１１と流入口３０との間に設けられ、水の流れを許容するフィルタ１６（周面フィルタ５１）とを備えている。本実施例１の洗面台Ａは、フィルタ１６（周面フィルタ５１）を備えているので、ボウル１０内の異物がオーバーフロー流路１３内へ侵入する可能性が低くなる。
【００４１】
洗面台Ａは、排水口１１を覆うように配置される目皿１５を備えており、周面フィルタ５１が目皿１５に設けられている。目皿１５には、底部フィルタ５２も設けられている。この構成によれば、目皿１５を排水口１１から取り外すことによって、周面フィルタ５１と底部フィルタ５２の清掃やメンテナンスを行うことができる。
【００４２】
目皿１５に設けた底部フィルタ５２は、オーバーフロー流路１３を非経由の排水経路を（最短排水経路１８）を排水方向上流側と排水方向下流側とに区画している。この構成によれば、通常の使用時において、排水路１２に流入した毛髪等を底部フィルタ５２で捕捉することができる。
【００４３】
排水口１１と周面フィルタ５１との間には、排水方向下流側に向かう水の流れを許容し、排水方向上流側に向かう水の流れを遮断する逆流防止部材１７が設けられている。この構成によれば、周面フィルタ５１で捕捉した異物がボウル１０内に侵入することを防止できる。
【００４４】
＜実施例２＞
次に、本発明を具体化した実施例２を図３を参照して説明する。本実施例２の洗面台Ｂは、逆流防止部材６２を上記実施例１とは異なる構成としたものである。その他の構成については上記実施例１と同じであるため、同じ構成については、同一符号を付し、構造、作用及び効果の説明は省略する。
【００４５】
本実施例２の目皿６０は、筒状嵌合部４３の内周のうち流入孔４５の下端縁と周面フィルタ５１の上端縁との間には、径方向内側へ縮径するように突出した形態の係止突起６１が形成されている。逆流防止部材６２は、ゴムやエラストマー等の弾性を有する材料からなり、円筒状の本体部６３とくちばし状の弾性弁体部６４とを有するダックビル弁と称される形態の単一部材である。本体部６３の外周には係止溝６５が形成されている。
【００４６】
弾性弁体部６４は、本体部６３から下方へ突出し、側面視においてテーパ状下向きに尖った形状をなす。弾性弁体部６４の下端部（突出端部）には、左右方向に延びるスリット状の弁口６６が形成されている。弾性弁体部６４に外力が作用していない自由状態では、弁口６６が閉塞した閉弁状態に保持されている。
【００４７】
逆流防止部材６２は、係止溝６５を係止突起６１に嵌合することにより、目皿６０の筒状嵌合部４３の内周に取り付けられている。弾性弁体部６４が閉弁した状態では、目皿６０の上部空間４７と下部空間４８が逆流防止部材６２によって仕切られている。この状態で、上部空間４７側（ボウル１０側）の水圧が下部空間４８側（オーバーフロー流路１３側）の水圧よりも高くなると、弾性弁体部６４が、上から押されて弁口６６を開く方向へ弾性変形するので、開弁状態となる。したがって、ボウル１０から最短排水経路１８を通る排水動作や、ボウル１０側からオーバーフロー流路１３側に向かう水や湯の流動が許容される。
【００４８】
弾性弁体部６４が閉弁している状態において、下部空間４８側（オーバーフロー流路１３側）の水圧が上部空間４７側（ボウル１０側）の水圧よりも高くなると、弾性弁体部６４が弁口６６を閉塞する方向へ押されるので、弾性弁体部６４は閉弁状態を保ったままとなる。したがって、下部空間４８内やオーバーフロー流路１３内の水や湯がボウル側（上部空間４７側）へ流入する可能性が低くなる。
【００４９】
＜実施例３＞
次に、本発明を具体化した実施例３を図４を参照して説明する。本実施例３の洗面台Ｃは、目皿７０と、排水栓７２と、フィルタ８０を、上記実施例１とは異なる構成としたものである。その他の構成については上記実施例１と同じであるため、同じ構成については、同一符号を付し、構造、作用及び効果の説明は省略する。
【００５０】
上記実施例１では、フィルタ１６が目皿１５に一体に形成されていたのに対し、本実施例３では、フィルタ８０が排水栓７２に一体に形成されている。本実施例３の目皿７０は、筒状嵌合部７１の上下寸法（排水方向と平行な方向の寸法）が、実施例１の目皿１５の筒状嵌合部４３よりも小さい。目皿７０をボウル１０（排水口１１）に取り付けた状態では、筒状嵌合部７１の下端が排水管２５の流出孔２８よりも上方に位置している。
【００５１】
排水栓７２は、栓本体部７３と、捕捉部７６と、複数の支持部８３とを有する単一部材である。栓本体部７３は、平面視形状が円形の板状をなしている。栓本体部７３の外径は、弁座２９の最小内径よりも大きく、且つ排水路１２のうち弁座２９よりも上方の嵌合空間７４の内径よりも小さい寸法に設定されている。栓本体部７３の外周下端部は、弁座２９に対して面当たり状態で当接可能なテーパ状の弁機能部７５となっている。
【００５２】
捕捉部７６は、栓本体部７３と同心の円筒形をなす周壁部７７と、周壁部７７の下面の開口を塞ぐ形態の底壁部７８とから構成されている。捕捉部７６（周壁部７７）の外径は、嵌合空間７４の内径とほぼ同じ寸法である。捕捉部７６の内部空間は、上面が全体に亘って開放された捕捉空間７９となっている。
【００５３】
フィルタ８０は周面フィルタ８１と底部フィルタ８２とから構成されている。周壁部７７には、周面フィルタ８１が一体に形成されている。周面フィルタ８１は、周壁部７７の内周面から外周面に貫通した形態の複数のスリットによって構成されている。１本のスリットは周方向に細長く延びた形態であり、複数のスリットは周方向と上下方向に整列配置されている。スリットの開口幅（上下幅）は、流入孔の上下寸法に比べて十分に小さい。
【００５４】
底壁部７８は、栓本体部７３の水平な上面と平行をなす。底壁部７８には、底部フィルタ８２が一体に形成されている。底部フィルタ８２は、底壁部７８の上面から下面に貫通した形態の複数の小孔から構成されている。小孔の内径寸法は、スリットの開口幅と概ね同じ寸法である。
【００５５】
複数の支持部８３は、栓本体部７３の上面外周縁から、周方向に間隔を空けて上方へ立ち上がっている。複数の支持部８３の上端には底壁部７８の下面の外周縁が連なっている。即ち、捕捉部７６が複数の支持部８３を介して栓本体部７３に載置された状態で支持されている。栓本体部７３の上面と底壁部７８の下面との間には、偏平な連通室８４が形成されている。連通室８４の上面は、底部フィルタ８２を介して捕捉空間７９と連通し、連通室８４の外周面は排水栓７２の外周面に開放されている。
【００５６】
排水栓７２は、排水口１１から排水路１２（嵌合空間７４）内に収容され、弁機能部７５を弁座２９に当接させる閉弁位置と、弁機能部７５を弁座２９よりも上方へ離れさせる開弁位置との間で上下動し得るようになっている。排水栓７２が閉弁位置にある状態では、排水路１２内における水や湯の流動が規制される。排水栓７２が開弁位置にある状態では、排水路１２内における水や湯の流動が許容される。
【００５７】
排水栓７２を開弁位置と閉弁位置との間で昇降させる手段としては、洗面台Ｃ本体の上面に設けた操作部（図示省略）と、排水栓７２の下面との間にコントロールケーブル（図示省略）を配索する方法がある。コントロールケーブルの上向きの作動端で排水栓７２の下面を押し上げれば、排水栓７２を開弁位置へ変位させることができる。コントロールケーブルの作動端を下方へ退避させれば、排水栓７２が排水栓７２の自重により閉弁位置へ下降する。
【００５８】
コントロールケーブルとは別の手段としては、排水栓７２の下面に永久磁石（図示省略）を一体的に取り付けるとともに、排水管２５の外面に永久磁石（図示省略）を設ける方法もある。排水管２５側の永久磁石の向きを変えることにより、双方の永久磁石の間に生じる磁力が、磁気吸引力と磁気反発力とに切り替わるようにすれば、排水栓７２を開弁位置と閉弁位置との間で変位させることができる。
【００５９】
排水栓７２が開弁位置と閉弁位置の何れの位置にあっても、捕捉部７６の上端は流出孔２８の上端よりも上方に位置し、底壁部７８は流出孔２８の下縁よりも下方に位置している。したがって、排水栓７２が開弁位置と閉弁位置の何れの位置にあっても、流出孔２８の開口領域の全体が周壁部７７によって内周側から覆われ、周面フィルタ８１の少なくとも一部が流出孔２８の開口領域と対応している。したがって、捕捉空間７９とオーバーフロー流路１３は、周面フィルタ８１を介して連通している。
【００６０】
底壁部７８（底部フィルタ８２）は、排水路１２（最短排水経路１８）を排水方向上流側と排水方向下流側とに区画するように配置されている。排水栓７２が開弁位置にある状態では、捕捉空間７９が、底部フィルタ８２と、連通室８４と、栓本体部７３の外周と排水管２５の内周との間の空間、及び栓本体部７３の外面（弁機能部７５）と弁座２９との隙間を介すことにより、排水路１２のうち弁座２９よりも排水方向下流側の領域と連通する。
【００６１】
目皿７０は、排水口１１の上方から筒状嵌合部７１を排水管２５（嵌合空間７４）内に嵌合することにより、ボウル１０に取り付けられている。目皿７０を取り付けた状態では、覆い部４２が排水口１１のほぼ全体を上から覆い隠すように位置する。筒状嵌合部７１は排水栓７２の捕捉部７６の上端よりも上方に位置している。流入孔４５は排水管２５の上方に位置しており、ボウル１０内の水は、流入孔４５から筒状嵌合部７１内に流入し得るようになっている。
【００６２】
通常の使用時には、排水栓７２が開弁位置に保持され、弁機能部７５が弁座２９の上方へ離れた状態となる。この状態では、ボウル１０内の水や湯は、排水口１１と流入孔４５、捕捉空間７９、連通室８４、栓本体部７３の外周と排水管２５の内周との隙間、弁機能部７５と弁座２９との隙間を順に通る最短排水経路１８で排出される。最短排水経路１８内を流れる異物等は底部フィルタ８２で捕捉される。したがって、底部フィルタ８２は、ヘアキャッチャーとしての機能を発揮する。
【００６３】
ボウル１０内に水や湯を溜める際には、排水栓７２を開弁位置から閉弁位置へ下降させて、最短排水経路１８を流入口３０と合流部３５との間において遮断する。ボウル１０内に水や湯を供給すると、ボウル１０内の水位とオーバーフロー流路１３の水位が上昇していく。ボウル１０内とオーバーフロー流路１３内の水位が規定水位（上昇流路２２の上端）に達した後は、余剰の水が、折返流路３２を経由して下降流路３４内を流下し、合流部３５から排水路１２（最短排水経路１８）へ流入して排出される。
【００６４】
ボウル１０内に水や湯を溜めて手洗い洗濯等を行った場合、ボウル１０内の水や湯の一部がオーバーフロー流路１３側へ流出するため、水や湯の流れに乗じてボウル１０内の汚れがオーバーフロー流路１３側へ流入することが懸念される。この対策として、ボウル１０とオーバーフロー流路１３との間に排水栓７２の周面フィルタ８１を介在させている。これにより、ボウル１０から目皿７０を通過して捕捉空間７９に流入した汚れは、周面フィルタ８１で捕捉され、連通空間２７及び流入口３０（オーバーフロー流路１３）内へ到達することが防止されている。
【００６５】
＜他の実施例＞
本発明は上記記述及び図面によって説明した実施例に限定されるものではなく、例えば次のような実施例も本発明の技術的範囲に含まれる。
（１）上記実施例１〜３では、排水路が管状部材で構成されているが、排水路は、ボウルと一体形成された部材を孔状に穿孔した形態であってもよい。
（２）上記実施例１〜３では、排水路が、排水口から鉛直方向下方へ直線状に延出しているが、排水路は、鉛直方向に対して斜め方向へ直線状に延出した形態でもよく、屈曲した経路で延出した形態でもよい。
（３）上記実施例１〜３では、オーバーフロー流路のうち流入口から上昇する上昇流路が、ボウルと一体に成形され、オーバーフロー流路のうち上昇流路の上端から合流部に至る下降流路が、ボウルとは別体の部品として成形されているが、オーバーフロー流路の全体をボウルと一体に成形してもよく、オーバーフロー流路の全体をボウルと別体の部品としてもよい。
（４）上記実施例１〜３では、オーバーフロー流路が排水管に連通する合流部を有しているが、オーバーフロー流路の下流端は、排水管に連通せず、排水管とは別の経路で下水道に連通していてもよい。
（５）上記実施例１，２では、フィルタが目皿に一体に形成されているが、フィルタは目皿とは別体の部品であってもよい。
（６）上記実施例３では、フィルタが排水栓に一体に形成されているが、フィルタは排水栓とは別体の部品であってもよい。
（７）上記実施例１，２では、フィルタが、オーバーフロー流路を非経由の排水経路を上流側と下流側とに区画するヘアキャッチャーとしての機能を兼ね備えているが、フィルタがヘアキャッチャーとしての機能を有しない形態であってもよい。
（８）上記実施例３において、実施例１，２のような逆流防止部材を設けてもよい。
【符号の説明】
【００６６】
Ａ，Ｂ，Ｂ…洗面台
１０…ボウル
１１…排水口
１２…排水路
１３…オーバーフロー流路
１４，７２…排水栓
１５，６０，７０…目皿
１６，８０…フィルタ
１７，６２…逆流防止部材
３０…流入口
【図１】
2020041367.tif 000003
【図２】
2020041367.tif 000004
【図３】
2020041367.tif 000005
【図４】
2020041367.tif 000006